(57)【要約】【課題】安価・軽量で一般人を対象にした抵抗感なく、大きさを調整して装着でき、運動性・伸縮性・通気性に優れたエプロンを提供する。【解決手段】長方形の樹脂からなる身体に沿った湾曲状の複数枚の防刃板２０を使用する。防刃板２０の側縁でエプロン１０にスナップ１２，２１にて着脱自在に固定する。防刃板２０は二部材から構成し、それらの中央部分を適宜の長さで調整可能に重ね合わせて互いに装着可能とし、胴回りの長さに合わせて調整ができるようにしてもよい。防刃板２０を縦に縁部を重ねながら数枚並べてエプロン１０に取付ける。【選択図】  図１
2004316039.tif 000002
【特許請求の範囲】
【請求項１】
長方形の樹脂からなる身体に沿った湾曲状の複数枚の防刃板を使用したことを特徴とする防刃衣。
【請求項２】
上記防刃板の側縁でエプロンに着脱自在に固定したことを特徴とする請求項１記載の防刃衣。
【請求項３】
上記防刃板の側縁でスナップにてエプロンに着脱自在に固定したことを特徴とする請求項２記載の防刃衣。
【請求項４】
上記防刃板は二部材からなり、それらの中央部分を適宜の長さで調整可能に重ね合わせて互いに装着可能とし、胴回りの長さに合わせて調整が出来るようにしたことを特徴とする請求項１乃至請求項３記載のいずれかの防刃衣。
【請求項５】
該防刃板を縦に縁部を重ねながら数枚並べて防刃衣に取付けることが可能な請求項１乃至請求項４記載のいずれかの防刃衣。
【発明の詳細な説明】
【０００１】
【発明が属する技術分野】
この発明は、エプロン等の衣服と、エプロンとは着脱自在な防刃板からなり、更には、該防刃板を身体に沿った形（略半楕円形）に曲げを持たせ、２枚の防刃板を重ね合わせた部分で、幅が調整可能とすることにより胴回りに合わせて長さの調整が可能な防刃衣に関する。
【０００２】
【従来の技術】
近年、コンビニ、商店、金融機関その他金銭を扱うあらゆる業種、職種においあて刃物による不意の傷害を受ける可能性が増しており、一般人を対象とした運動性、防刃性、快適性に優れた安価な防刃衣を提供する必要性が増してきた。
【０００３】
従来の防刃衣は利用対象を警察官などと考えており、一般人の利用は考えていない。そのため防御板は平板な鉄板などを使用し直接防刃衣に縫い付けられている。又、繊維自体での防御を考えているため防刃衣自体に特殊な繊維を使用し衝撃を直接身体で受ける構成であるために、運動性・（伸縮性）・通気性に欠けるという不具合があった（特許文献２）
【０００４】
また、一般人を対象とした防刃板として防刃板を収容袋に入れ、防刃板を取り外し可能とし運動性、通気性を高めたもの（特許文献３）、さらに、これに加えて、防刃板を身体に合わせて湾曲させる技術が提案されている（特許文献４）。
【０００５】
【特許文献１】特開平９−２２９５９８号公報
【０００６】
【特許文献２】特開２０００―１１９９０６号公報
【０００７】
【特許文献３】実開平６−６４１６号公報
【０００８】
【特許文献４】実開平６−６４１５号公報
【０００９】
【発明が解決しようとする課題】
本発明の課題は、安価・軽量で一般人を対象にした抵抗感なく、大きさを調整して装着でき、運動性・伸縮性・通気性に優れたエプロン等の防刃衣を提供することにある。
【００１０】
【課題を解決するための手段】
上記課題を解決するために、以下の手段を講じた。即ち、
請求項１記載の防刃衣は、長方形の樹脂からなる身体に沿った湾曲状の複数枚の防刃板を使用したことを特徴とする。
請求項２記載の防刃衣は、請求項１記載の防刃衣において、上記防刃板の側縁でエプロンに着脱自在に固定したことを特徴とする。
請求項３記載の防刃衣は、請求項２記載の防刃衣において、上記防刃板の側縁でスナップにてエプロンに着脱自在に固定したことを特徴とする。
【００１１】
請求項４記載の防刃衣は、請求項１乃至請求項３記載のいずれかの防刃衣において、上記防刃板は二部材からなり、それらの中央部分を適宜の長さで調整可能に重ね合わせて互いに装着可能とし、胴回りの長さに合わせて調整が出来るようにしたことを特徴とする。
請求項５記載の防刃衣は、請求項１乃至請求項４記載のいずれかの防刃衣において、該防刃板を縦に縁部を重ねながら数枚並べて防刃衣に取付けることが可能なことを特徴とする。
【００１２】
（作用）
防刃板は、樹脂を使用することにより軽量化を図ることができ、また身体に沿った形（略半楕円形）に曲げを持たせることにより、装着している防刃衣と身体との間に空間ができるため通気性に優れ、また直接の衝撃を回避することができる。
さらに、防刃板に身体に沿った形に曲げを持たせることにより、戦国時代の鎧のように刃物からの直接の衝撃を回避または和らげることができる。また防刃板を装着する防刃衣は、身体に直接接していないため通気性を保つことができ、その上、防刃板を防刃衣に複数枚個別に装着することにより、伸縮性も確保できる。
【００１３】
以下図面を参照して本発明の実施形態について説明する。図１（Ａ）は本発明の実施例１の防刃衣の使用説明図、（Ｂ）は同防刃衣の正面図。図２は同防刃衣の使用時平面図、図３は同防刃衣の正面図、図４は本発明の実施例２における防刃板の平面図、図５（Ａ）は実施例３の防刃衣の使用説明図、（Ｂ）は同防刃板の正面図、図６は同防刃衣の使用時平面図である。
【００１４】
【発明の実施の形態】
以下、本発明の実施例１に係る実施の形態について説明する。
（エプロン）
先ず、エプロン１０は、従来のエプロンと同様に、身体のほぼ頚部の下から膝程度までを覆わせる大きさのエプロン本体を有し、このエプロン本体を身体に装着するように形成されている。なお、本発明の実施に当っては、エプロン以外の衣類であっても良いことはいうまでもない。
【００１５】
（防刃板）
本発明はこのエプロン本体の裏面側に、エプロン１０を身体に装着した際に身体のほぼ胸部から下腹部に相応する箇所に位置させて、防刃板をスナップで着脱自在に装着するものである。エプロン本体の裏面の所定位置には防刃板を取付けるための複数個のスナップ凹部１２が縫着等により固着されている取付部１１が縫い付けられている。
【００１６】
防刃板２０は、縦１０ｃｍ横４０ｃｍ程の長方形状の板を湾曲させたものであり、身体の胸部から下腹部までを覆わせるように通常４〜６枚（人間の座高により枚数を増減できる）使用する。この実施例の防刃板は、図１（Ｂ）及び図２に示すように、長方形状に形成し、身体に沿うように適度に湾曲させ、身体にフィットして添装させるように構成してある。
【００１７】
次に取付けであるが、図１及び図２に示すように、エプロンの裏面には該防刃板複数枚をブラインド状に少しずらしてエプロンに装着することができる位置にスナップ凹部１２が装着されている取付部１１が縫製等により装着されている。また、防刃板２０には、その両側縁に該スナップ凹部１２と嵌め合わさるスナップ凸部２１を接着剤等により固着する。そして、該スナップ凸部２１とエプロン本体に設けたスナップ凹部１２を嵌め合わせることにより防刃板２０をエプロン１０に着脱自在に取付けることができるようになり、取付けた状態で防刃衣となる。
【００１８】
また、この防刃板２０の素材としては、合成樹脂として、例えばポリカーボネイト等が望ましく、刃物を受け止め得る素材であれば、他の素材でも良い。また、合成樹脂と他の素材との組合わせであっても良く、金属素材であってもよい。なお、防刃板２０は、複数枚をエプロン１０へ添装した状態で身体に装着するものであるため、防刃板２０は硬くてなるべく軽量の材質を選択するのが好ましい。
【００１９】
また、１３はエプロン本体の上端両側に取付けた装着用の紐であり、エプロン１０は上記紐１３を利用して身体に装着するように構成されている。この場合、エプロン１０の装着手段は他の構成に変えても良いものである。また、符号１０ａ、１０ｂはポケットである。
この実施例のエプロンは上記のように構成し、昼間は防刃板２０を取外してエプロン１０だけを従来通り使用し、夜間等、所望時に防刃板２０をエプロン本体１０の裏面側に添着し、その状態で防刃衣として使用するものである。
【００２０】
【実施例２】
この発明の実施例２は、図４に示すように２枚の防刃板片２０ａ、２０ｂを中央部分で重ね合わせ、その重ね合う部分に長さ調整具としてスナップ３０ａ、３０ｂを装着し、長さ調整ができる防刃板を形成し各個人の体格に合わせた防刃衣を提供することが出来る。
ここでは調整具としてスナップを用いたがその他の手段、例えば、孔を開けて嵌め合わせたり、ジッパー形式を採用しても良い。
【００２１】
【実施例３】
次に本発明の実施例３について図５、図６を用いて説明する。同一部分には同一符号を付して説明は省略する。
防刃板２０’の両端にはスナップではなく、湾曲とは逆に反った爪部２２を設ける。取付部１１’は前記爪部２２を引っ掛けることができるように間隔をあけてエプロン１０に縫着されており、ここに爪部２２を差し込むことで防刃板２０’をエプロン１０に添着可能としている。
また、爪部２２を設けず、湾曲させた防刃板を前記取付部１１’に差し込むだけで添着できることは言うまでもない。
また、実施例２を実施例３に適用できることも言うまでもない。
【００２２】
【発明の効果】
本発明は以上説明したように構成したものであるから、次のような効果を奏する。
防刃板に身体に沿った形（半楕円形）に曲げを持たせている事により刃物は表面を滑る、また直接身体に密着していないため刃物からの衝撃を和らげることができる。また、エプロンはヒモなどで身体に固定するが、身体とエプロンとの間には空間ができ通気性が保たれため、夏でも快適に装着できる。防刃板はスナップで固定しているため、かがんだときにもエプロンと一体化しており運動性は損なわれない。
【００２３】
防刃板をエプロン本体から取外すことにより、従来のエプロンと全く同様に使用することができると共に自由に洗濯することができる。
防刃衣を着用していることを侵入者に気付かれることはないので、防御効果を充分発揮できる。この場合、防刃板の着用を侵入者が気付くと、刃物で顔等、別の部位を攻撃される恐れがあるが、外観は従来のエプロンと全く同じであるから、客に気付かれる心配はなく、着用することができる。
【００２４】
また、調整板を取付けることにより各個人に合わせて胴回りに合わせることが出来経済的である。
【図面の簡単な説明】
【図１】（Ａ）は本発明に係る実施例１の防刃衣の使用説明図、（Ｂ）は同防刃板の正面図。
【図２】同防刃衣の使用時平面図。
【図３】同防刃衣の正面図。
【図４】本発明にかかる実施例２における防刃板の平面図。
【図５】（Ａ）は本発明に係る実施例３の防刃衣の使用説明図、（Ｂ）は同防刃板の正面図。
【図６】同防刃衣の使用時平面図。
【符号の説明】
１０・・エプロン  １０ａ，１０ｂ・・・ポケット  １１，１１’・・・取付部
１２・・・スナップ凹部      １３・・・紐
２０，２０’・・防刃板      ２０ａ，２０ｂ・・・防刃板片
２１・・・スナップ凸部          ２２・・・爪部
３０ａ，３０ｂ・・・スナップ（調整具）
【図１】
2004316039.tif 000003
【図２】
2004316039.tif 000004
【図３】
2004316039.tif 000005
【図４】
2004316039.tif 000006
【図５】
2004316039.tif 000007
【図６】
2004316039.tif 000008
【手続補正書】
【提出日】平成15年4月24日(2003.4.24)
【手続補正１】
【補正対象書類名】明細書
【補正対象項目名】発明の詳細な説明
【補正方法】変更
【補正の内容】
【発明の詳細な説明】
【０００１】
【発明が属する技術分野】
この発明は、エプロン等の衣服と、エプロンとは着脱自在な防刃板からなり、更には、該防刃板を身体に沿った形（略半楕円形）に曲げを持たせ、２枚の防刃板を重ね合わせた部分で、幅が調整可能とすることにより胴回りに合わせて長さの調整が可能な防刃衣に関する。
【０００２】
【従来の技術】
近年、コンビニ、商店、金融機関その他金銭を扱うあらゆる業種、職種においあて刃物による不意の傷害を受ける可能性が増しており、一般人を対象とした運動性、防刃性、快適性に優れた安価な防刃衣を提供する必要性が増してきた。
【０００３】
従来の防刃衣は利用対象を警察官などと考えており、一般人の利用は考えていない。そのため防御板は平板な鉄板などを使用し直接防刃衣に縫い付けられている。又、繊維自体での防御を考えているため防刃衣自体に特殊な繊維を使用し衝撃を直接身体で受ける構成であるために、運動性・（伸縮性）・通気性に欠けるという不具合があった（特許文献２）
【０００４】
また、一般人を対象とした防刃板として防刃板を収容袋に入れ、防刃板を取り外し可能とし運動性、通気性を高めたもの（特許文献３）、さらに、これに加えて、防刃板を身体に合わせて湾曲させる技術が提案されている（特許文献４）。
【０００５】
【特許文献１】特開平９−２２９５９８号公報
【０００６】
【特許文献２】特開２０００―１１９９０６号公報
【０００７】
【特許文献３】実開平６−６４１６号公報
【０００８】
【特許文献４】実開平６−６４１５号公報
【０００９】
【発明が解決しようとする課題】
本発明の課題は、安価・軽量で一般人を対象にした抵抗感なく、大きさを調整して装着でき、運動性・伸縮性・通気性に優れたエプロン等の防刃衣を提供することにある。
【００１０】
【課題を解決するための手段】
上記課題を解決するために、以下の手段を講じた。即ち、
請求項１記載の防刃衣は、長方形の樹脂からなる身体に沿った湾曲状の複数枚の防刃板を使用したことを特徴とする。
請求項２記載の防刃衣は、請求項１記載の防刃衣において、上記防刃板の側縁でエプロンに着脱自在に固定したことを特徴とする。
請求項３記載の防刃衣は、請求項２記載の防刃衣において、上記防刃板の側縁でスナップにてエプロンに着脱自在に固定したことを特徴とする。
【００１１】
請求項４記載の防刃衣は、請求項１乃至請求項３記載のいずれかの防刃衣において、上記防刃板は二部材からなり、それらの中央部分を適宜の長さで調整可能に重ね合わせて互いに装着可能とし、胴回りの長さに合わせて調整が出来るようにしたことを特徴とする。
請求項５記載の防刃衣は、請求項１乃至請求項４記載のいずれかの防刃衣において、該防刃板を縦に縁部を重ねながら数枚並べて防刃衣に取付けることが可能なことを特徴とする。
【００１２】
（作用）
防刃板は、樹脂を使用することにより軽量化を図ることができ、また身体に沿った形（略半楕円形）に曲げを持たせることにより、装着している防刃衣と身体との間に空間ができるため通気性に優れ、また直接の衝撃を回避することができる。
さらに、防刃板に身体に沿った形に曲げを持たせることにより、戦国時代の鎧のように刃物からの直接の衝撃を回避または和らげることができる。また防刃板を装着する防刃衣は、身体に直接接していないため通気性を保つことができ、その上、防刃板を防刃衣に複数枚個別に装着することにより、伸縮性も確保できる。
【００１３】
以下図面を参照して本発明の実施形態について説明する。図１（Ａ）は本発明の実施例１の防刃衣の使用説明図、（Ｂ）は同防刃衣の正面図。図２は同防刃衣の使用時平面図、図３は同防刃衣の正面図、図４は本発明の実施例２における防刃板の平面図、図５（Ａ）は実施例３の防刃衣の使用説明図、（Ｂ）は同防刃板の正面図、図６は同防刃衣の使用時平面図である。
【００１４】
【実施例１】
以下、本発明の実施例１に係る実施の形態について説明する。
（エプロン）
先ず、エプロン１０は、従来のエプロンと同様に、身体のほぼ頚部の下から膝程度までを覆わせる大きさのエプロン本体を有し、このエプロン本体を身体に装着するように形成されている。なお、本発明の実施に当っては、エプロン以外の衣類であっても良いことはいうまでもない。
【００１５】
（防刃板）
本発明はこのエプロン本体の裏面側に、エプロン１０を身体に装着した際に身体のほぼ胸部から下腹部に相応する箇所に位置させて、防刃板をスナップで着脱自在に装着するものである。エプロン本体の裏面の所定位置には防刃板を取付けるための複数個のスナップ凹部１２が縫着等により固着されている取付部１１が縫い付けられている。
【００１６】
防刃板２０は、縦１０ｃｍ横４０ｃｍ程の長方形状の板を湾曲させたものであり、身体の胸部から下腹部までを覆わせるように通常４〜６枚（人間の座高により枚数を増減できる）使用する。この実施例の防刃板は、図１（Ｂ）及び図２に示すように、長方形状に形成し、身体に沿うように適度に湾曲させ、身体にフィットして添装させるように構成してある。
【００１７】
次に取付けであるが、図１及び図２に示すように、エプロンの裏面には該防刃板複数枚をブラインド状に少しずらしてエプロンに装着することができる位置にスナップ凹部１２が装着されている取付部１１が縫製等により装着されている。また、防刃板２０には、その両側縁に該スナップ凹部１２と嵌め合わさるスナップ凸部２１を接着剤等により固着する。そして、該スナップ凸部２１とエプロン本体に設けたスナップ凹部１２を嵌め合わせることにより防刃板２０をエプロン１０に着脱自在に取付けることができるようになり、取付けた状態で防刃衣となる。
【００１８】
また、この防刃板２０の素材としては、合成樹脂として、例えばポリカーボネイト等が望ましく、刃物を受け止め得る素材であれば、他の素材でも良い。また、合成樹脂と他の素材との組合わせであっても良く、金属素材であってもよい。なお、防刃板２０は、複数枚をエプロン１０へ添装した状態で身体に装着するものであるため、防刃板２０は硬くてなるべく軽量の材質を選択するのが好ましい。
【００１９】
また、１３はエプロン本体の上端両側に取付けた装着用の紐であり、エプロン１０は上記紐１３を利用して身体に装着するように構成されている。この場合、エプロン１０の装着手段は他の構成に変えても良いものである。また、符号１０ａ、１０ｂはポケットである。
この実施例のエプロンは上記のように構成し、昼間は防刃板２０を取外してエプロン１０だけを従来通り使用し、夜間等、所望時に防刃板２０をエプロン本体１０の裏面側に添着し、その状態で防刃衣として使用するものである。
【００２０】
【実施例２】
この発明の実施例２は、図４に示すように２枚の防刃板片２０ａ、２０ｂを中央部分で重ね合わせ、その重ね合う部分に長さ調整具としてスナップ３０ａ、３０ｂを装着し、長さ調整ができる防刃板を形成し各個人の体格に合わせた防刃衣を提供することが出来る。
ここでは調整具としてスナップを用いたがその他の手段、例えば、孔を開けて嵌め合わせたり、ジッパー形式を採用しても良い。
【００２１】
【実施例３】
次に本発明の実施例３について図５、図６を用いて説明する。同一部分には同一符号を付して説明は省略する。
防刃板２０’の両端にはスナップではなく、湾曲とは逆に反った爪部２２を設ける。取付部１１’は前記爪部２２を引っ掛けることができるように間隔をあけてエプロン１０に縫着されており、ここに爪部２２を差し込むことで防刃板２０’をエプロン１０に添着可能としている。
また、爪部２２を設けず、湾曲させた防刃板を前記取付部１１’に差し込むだけで添着できることは言うまでもない。
また、実施例２を実施例３に適用できることも言うまでもない。
【００２２】
【発明の効果】
本発明は以上説明したように構成したものであるから、次のような効果を奏する。
防刃板に身体に沿った形（半楕円形）に曲げを持たせている事により刃物は表面を滑る、また直接身体に密着していないため刃物からの衝撃を和らげることができる。また、エプロンはヒモなどで身体に固定するが、身体とエプロンとの間には空間ができ通気性が保たれため、夏でも快適に装着できる。防刃板はスナップで固定しているため、かがんだときにもエプロンと一体化しており運動性は損なわれない。
【００２３】
防刃板をエプロン本体から取外すことにより、従来のエプロンと全く同様に使用することができると共に自由に洗濯することができる。
防刃衣を着用していることを侵入者に気付かれることはないので、防御効果を充分発揮できる。この場合、防刃板の着用を侵入者が気付くと、刃物で顔等、別の部位を攻撃される恐れがあるが、外観は従来のエプロンと全く同じであるから、客に気付かれる心配はなく、着用することができる。
【００２４】
また、調整板を取付けることにより各個人に合わせて胴回りに合わせることが出来経済的である。